(57)【要約】      （修正有）【課題】人形が任意の多数の位置および姿勢を取ることができ、長い時間にわたって安定した形態に保持され、そして新しい位置変更を自由に行う子供による人形の操作の妨害をしない組立式ボルト人形を提供する。【解決手段】組立式ボルト人形の六角ボルトのくび下に、肩の丸形圧着端子の固定穴を上下交互に、挿入し、支持しながら、さらに胴体のスペーサを挿入後、腰のR形圧着端子の圧着穴と圧着側根元の中間の適当な位置に円筒孔側に適当な力で曲げ加工を施した一対のR形圧着端子の固定穴を六角ボルト下部より挿入し圧着支持しながら尻の六角ナットを、螺着させ固定したのちに、肩および腰に腕の雄ネジ、脚の雄ネジの端を掴みながら右回転させながら本体に螺着させて安定した任意の位置で固定する形態である。【選択図】図１
0003169091.tif 000002
【実用新案登録請求の範囲】
【請求項１】
組立式ボルト人形の六角ボルトのくび下に、肩の丸形圧着端子の固定穴を上下交互に、挿入し、支持しながら、さらに胴体のスペーサを挿入後、腰のR形圧着端子の圧着穴と圧着側根元の中間の適当な位置に円筒孔側に適当な力で曲げ加工を施した一対のR形圧着端子の固定穴を六角ボルト下部より挿入し圧着支持しながら尻の六角ナットを、螺着させた構成を、組立式ボルト人形の本体（以下“本体”と呼ぶ）の肩の右手側の雄ネジ先に本体側の丸形圧着端子よりやや小さめの、丸形圧着端子を螺着し固定した反対の雄ネジの端を掴みながら右回転させながら本体に螺着して、肩の左手側の雄ネジの先に、先開圧着端子を螺着し固定した雄ネジの反対側を掴みながら圧着し、螺着して肩に固定し、腰部の左右一対の丸形圧着端子内筒に、脚の雄ネジの先端に座金をはんだ付けした反対側の雄ネジを掴みながら右回転し、腰の丸形圧着端子に螺着して、本体の肩、腰の丸形圧着端子の円筒部の内面に適当な、位置2列に螺刻痕を残しながら螺着させて、安定した任意の位置で固定する形態であり、腕または、脚の安定した、任意の位置決めに、または小さな力で雄ネジに回転を加えるだけで部材の形態が変化し、長い時間にわたって、安定した形態を保持することを特徴とする組立式ボルト人形。
【請求項２】
請求項１に記載の組立式ボルト人形であって、 胴体にスペーサの、代わりに、六角ナットを適当な数に変えても可能とする組立式ボルト人形。
【請求項３】
請求項１に記載の組立式ボルト人形であって、スペーサの、代わりに適当なる六角高ナットを使用してもよい組立式ボルト人形。
【請求項４】
請求項１に記載の組立式ボルト人形であって、頭の子ネジ代わりに、ボールチップを接着剤で、固定してもよい組立式ボルト人形。
【請求項５】
請求項１に記載の組立式ボルト人形であって、丸頭ビスの代わりに、ボールチップを接着剤で接着して、代用してもよい組立式ボルト人形。
【請求項６】
請求項１に記載の組立式ボルト人形であって、六角ボルト１の頭上面に子ネジのかわりに適当なる大きさ、適当なる形状でもよい。固定には、はんだ付けおよび接着剤で固定してもよい組立式ボルト人形。
【請求項７】
請求項１に記載の組立式ボルト人形であって、雄ネジの代わりに、適当なばね径、線径、自由長さのコイルスプリングを使用してもよい組立式ボルト人形。
【請求項８】
請求項１に記載の組立式ボルト人形であって、六角ボルトの代わりに、六角穴付きボルトであってもよい組立式ボルト人形。
【考案の詳細な説明】
【技術分野】
【０００１】
組立式ボルト人形の本体の肩および腰に、雄ネジで構成された腕、脚を螺着脱可能にするために、R形圧着端子を胴体の上下に組込こんだ形態の改良に関する。
【背景技術】
【０００２】
従来のボルト人形は、メーカーが制作し、その商品の中から選んで購入し、組立てに参加することはできなかった。
【考案の概要】
【考案が解決しようとする課題】
【０００３】
従来のボルト人形では人形の腕、脚は固定された形態であり、その形態を変更することはできなかったが、玩具では、様々な形態に変化するものあり、不満があった。組立式ボルト人形の六角ボルトのくび下に肩の丸形圧着端子の固定穴を上下交互に、挿入し、支持しながら、さらに胴体のスペーサを挿入後、腰のR形圧着端子の圧着穴と圧着側根元の中間の適当な位置に円筒孔側に適当な力で曲げ加工を施した一対のR形圧着端子の固定穴を六角ボルト下部より挿入し圧着支持しながら尻の六角ナットを、螺着させた構成を、組立式ボルト人形の本体（以下“本体”と呼ぶ）の肩の右手側の雄ネジ先に本体側の丸形圧着端子よりやや小さめの、丸形圧着端子を螺着し固定した反対の雄ネジの端を掴みながら右回転させながら本体に螺着して、肩の左手側の雄ネジの先に、先開圧着端子を螺着し固定した雄ネジの反対側を掴みながら圧着し、螺着して肩に固定し、腰部の左右一対の丸形圧着端子内筒に、脚の雄ネジの先端に座金をはんだ付けした反対側の雄ネジを掴みながら右回転し、腰の丸形圧着端子に螺着して、長い時間にわたって安定した形態状態を提供することを、課題とする。
【課題を解決するための手段】
【０００４】
組立式ボルト人形の六角ボルトのくび下に、肩の丸形圧着端子の固定穴を上下交互に、挿入し、支持しながら、さらに胴体のスペーサを挿入後、腰のR形圧着端子の圧着穴と圧着側根元の中間の適当な位置に円筒孔側に適当な力で曲げ加工を施した一対のR形圧着端子の固定穴を六角ボルト下部より挿入し圧着支持しながら尻の六角ナットを、螺着させた構成を、組立式ボルト人形の本体（以下“本体”と呼ぶ）の肩の右手側の雄ネジ先に本体側の丸形圧着端子よりやや小さめの、丸形圧着端子を螺着し固定した反対の雄ネジの端を掴みながら右回転させながら本体に螺着して、肩の左手側の雄ネジの先に、先開圧着端子を螺着し固定した雄ネジの反対側を掴みながら圧着し、螺着して肩に固定し、腰部の左右一対の丸形圧着端子内筒に、脚の雄ネジの先端に座金をはんだ付けした反対側の雄ネジを掴みながら右回転し、腰の丸形圧着端子に螺着して、本体の肩、腰の丸形圧着端子の円筒部の内面に適当な、位置2列に螺刻痕を残しながら螺着させて、安定した任意の位置で固定する形態であり、腕または、脚の安定した、任意の位置決めに、または小さな力で雄ネジに回転を加えるだけで部材の形態が変化し、長い時間にわたって、安定した形態を保持することを特徴とする組立式ボルト人形である。
【考案の効果】
【０００５】
組立式ボルト人形が、任意の多数の位置および姿勢を取ることができ、長い時間にわたって安定した状態に保持され、そして新しい位置変更を自由に行う子供による組立式人形の操作の妨害をしないとゆう利点がある。販売する際に梱包・送料等が購入者側の負担になっていた現状で、螺着脱可能な商品販売によってメール便も可能になった。また、部品を購入し、組立てに必要な、腕、または脚を掴みながら右回転させ螺着作業なくしては組立て出来ないのであり、腕に曲げを加えて自分好みのポーズを考えながら、組立て完了後に、机の上に自立させる時に、必ずバランス感覚が、必要になり脳の刺激になると、考えられリハビリに効果が発揮できる。
【図面の簡単な説明】
【０００６】
【図１】本考案の実施例の直立状態の組立式ボルト人形の斜視図である。
【図２】本考案の分解斜視図である。
【図３】本考案の形態の形態変形が座ったときの斜視図である。
【図４】本考案の形態の形態変形が四足動物のときの斜視図である。
【図５】本考案の形態の丸形圧着端子の斜視図である。
【図６】本考案の形態の丸形圧着端子のM-M’に沿った断面矢視図である。
【考案を実施するための形態】
【０００７】
組立式ボルト人形の第一実施形態を、図１に示す。以下、本考案の実施例を図面に基づいて説明する。ただし、以下に示す実施例は、本考案の技術思想を具体化するための人形を例示するものであって、本考案は、組立式ボルト人形を以下のものに特定しない。
【０００８】
図１示す組立式ボルト人形は、人間の直立形状を形態している前述の人形で本体Aの頭Gに子ネジ1a一対をはんだLで固定した六角ボルト1に肩Bの丸形圧着端子3の内筒孔3bに右腕先端に肩Bより、やや小さめの丸形圧着端子7bを有した腕Eの雄ネジ５を右肩に螺着して、左腕Eには、先開形圧着端子7aが取付られた腕Eを左肩に螺着させ、腰Dの左右一対の適当な曲げを施した、丸形圧縮端子3の内筒孔3bに、脚Ｆ先端に座金６を有した、脚Ｆの雄ネジ５を圧着し、掴みながら右回転を加え、図５の内筒螺刻痕３bを残しながら螺着させて、安定した任意の位置で固定する構成。図２は上述の組立式ボルト人形の分解斜視図を示す。この肩、腰に丸形圧着端子を配置した改良は、腕や、脚の安定した任意の位置決めに、または小さな力で雄ネジに回転を加えるだけで部材の形態が変化し、長い時間にわたって安定した状態に保持する螺着脱可能な組立式ボルト人形である。組立式ボルト人形の部材は、丸形圧着端子、先開形圧着端子が無酸素銅で、その他の部材は、金属で構成され、概略体型寸法は、身長5.5センチ肩幅3.5センチである。
【０００９】
図３は、第二実施形態で、螺着脱可能な圧着端子付きボルト人形の座った、形態の形態変形の斜視図である。本体Aの顔Hにボールチップ1bを接着剤で固定した六角ボルト1に肩Bの丸形圧着端子3の内筒孔3bに右腕先端に肩Bより、やや小さめの丸形圧着端子7bを有した腕Eの雄ネジ５を右肩に螺着して、左腕Eには、先開形圧着端子7aが取付られた腕Eを左肩に螺着させ、腰Dの左右一対の、丸形圧縮端子3の内筒孔3bに、脚Ｆの雄ネジ５、を圧着し、掴みながら右回転を加え、図５、図６の円筒孔3bの内面に適当な位置2列に、螺刻痕３bを残しながら螺着させて、長い時間にわたって安定した状態に保持する。
【００１０】
図４は、第三実施形態で、図３の、第二実施形態で腕E,脚Fを外し、本体Aの頭Gにボールチップ1bを接着剤で固定した六角ボルト1で構成し肩B,腰Dの丸形圧着端子3の一対の、交差角度で四足動物形態を形成する、斜視図である。
【符号の説明】
【００１１】
１  六角ボルト
１a 子ネジ
１b ボールチップ
２  スペーサ
３  丸形圧着端子
３a 固定孔
３b 内筒孔
３c 外筒
３d 内筒螺刻痕
４  六角ナット
５  雄ネジ
５a はんだ
６  座金
７a 先開圧着端子
７b 丸形圧着端子
A  本体
B  肩
C  胴体
D  腰
E  腕
F  脚
G  頭
H  顔
I  右手
J  左手
K  尻
L  はんだ
M  曲げ加工
【図１】
0003169091.tif 000003
【図２】
0003169091.tif 000004
【図３】
0003169091.tif 000005
【図４】
0003169091.tif 000006
【図５】
0003169091.tif 000007
【図６】
0003169091.tif 000008
【手続補正書】
【提出日】平成23年5月2日(2011.5.2)
【手続補正１】
【補正対象書類名】実用新案登録請求の範囲
【補正対象項目名】全文
【補正方法】変更
【補正の内容】
【実用新案登録請求の範囲】
【請求項１】
組立式ボルト人形の六角ボルトのくび下に、肩の丸形圧着端子の固定穴を上下交互に、挿入し、支持しながら、さらに胴体のスペーサを挿入後、腰のR形圧着端子の圧着穴と圧着側根元の中間の適当な位置に円筒孔側に適当な力で曲げ加工を施した一対のR形圧着端子の固定穴を六角ボルト下部より挿入し圧着支持しながら尻の六角ナットを、螺着させた構成を、組立式ボルト人形の本体（以下“本体”と呼ぶ）の肩の右手側の雄ネジ先に本体側の丸形圧着端子よりやや小さめの、丸形圧着端子を螺着し固定した反対の雄ネジの端を掴みながら右回転させながら本体に螺着して、肩の左手側の雄ネジの先に、先開圧着端子を螺着し固定した雄ネジの反対側を掴みながら圧着し、螺着して肩に固定し、腰部の左右一対の丸形圧着端子内筒に、脚の雄ネジの先端に座金をはんだ付けした反対側の雄ネジを掴みながら右回転し、腰の丸形圧着端子に螺着して、本体の肩、腰の丸形圧着端子の円筒部の内面に適当な、位置2列に螺刻痕を残しながら螺着させて、安定した任意の位置で固定する形態であり、腕または、脚の安定した、任意の位置決めに、または小さな力で雄ネジに回転を加えるだけで部材の形態が変化し、長い時間にわたって、安定した形態を保持することを特徴とする組立式ボルト人形。
【請求項２】
請求項１に記載の組立式ボルト人形であって、 胴体にスペーサの、代わりに、六角ナットを適当な数に変えても可能とする組立式ボルト人形。
【請求項３】
請求項１に記載の組立式ボルト人形であって、スペーサの、代わりに適当なる六角高ナットを使用してもよい組立式ボルト人形。
【請求項４】
請求項１に記載の組立式ボルト人形であって、雄ネジの代わりに、適当なばね径、線径、自由長さのコイルスプリングを使用してもよい組立式ボルト人形。
【請求項５】
請求項１に記載の組立式ボルト人形であって、六角ボルトの代わりに、六角穴付きボルトであってもよい組立式ボルト人形。